(57)【要約】【課題】センター装飾部材に外周が取り囲まれた表示画面が大型化又は偏在されても、パチンコ球が転動流下可能な転動領域のスペースを十分に確保するとともに表示画面の視認に支障がない構造を有したパチンコ機を提供すること。【解決手段】基底片面４０１Ａや突出片面４０３やワープルート３０４などを含めてセンター装飾部材２０５を無色透明の光透過性材質であるポリカーボーネート樹脂で形成する。そして、そのセンター装飾部材２０５を遊技盤２０２の盤面２０２Ａに固定させることによって、センター装飾部材２０５の基底片面４０１Ａと突出片面４０３とワープルート３０４の各一部（斜線部２０５Ａ）で表示画面２０３の一部を覆わせる。【選択図】図２
2007267902.tif 000002
【特許請求の範囲】
【請求項１】
遊技盤と、前記遊技盤の盤面上に設けられたガイドレールと、前記ガイドレールによって前記遊技盤の盤面上に区画形成された遊技領域と、該遊技領域内に配設された入賞口と、該入賞口より上方に配設された表示画面と、前記遊技盤の盤面上に遊技者側に向けて突設されるとともに前記遊技領域内で前記表示画面の外周を取り囲んで配設されたセンター装飾部材と、前記遊技盤の盤面上に設けられるとともに前記遊技領域内で前記センター装飾部材と前記ガイドレールとの間に配設された障害部材と、前記入賞口と前記表示画面と前記センター装飾部材と前記障害部材とが配設されることによって前記遊技領域内に形成されるとともに前記遊技盤の盤面上でのパチンコ球の流下方向を変更する転動領域と、を有するとともに、前記センター装飾部材には前記遊技盤の盤面に対して略平行な基底面と該基底面から遊技者側に向けて突設された突出面と該突出面の一部として当該センター装飾部材の略斜め上方隅付近に設けられた傾斜面とが形成されており、前記ガイドレールに案内されて前記転動領域内に侵入したパチンコ球が前記センター装飾部材の傾斜面に沿って流下すれば前記センター装飾部材の傾斜面と比べて流下方向に位置する前記障害部材を介して前記入賞口に向かって案内されるパチンコ機において、
前記センター装飾部材の基底面については当該センター装飾部材の略斜め上方隅付近で当該センター装飾部材の傾斜面から前記遊技盤の盤面上に延設された延出部分が透明の光透過性材質をもって形成されるとともに、前記センター装飾部材の基底面の延出部分から反遊技者側に向かって前記表示画面の一部が存在すること、を特徴とするパチンコ機。
【発明の詳細な説明】
【技術分野】
【０００１】
本発明は、パチンコ機に関し、特にパチンコ機が備えるセンター装飾部材の構造に関する。
【背景技術】
【０００２】
従来のパチンコ機では、例えば、特許文献１に記載されているように、遊技領域の中央の位置に配置された表示画面の外周を取り囲むようにしてセンター役物（「センター装飾部材」に対応するもの）が配置されており、さらに、センター役物の周囲においては、遊技釘など（「障害部材」に対応するもの）が配置されるとともに、センター役物の下外側には始動入賞口（「入賞口」に対応するもの）が配置されている。
【０００３】
また、センター役物の略斜め上方部には傾斜面が成形されており、その傾斜面に発射球が衝突すると、多くのパチンコ球は、センター役物の横外側を転動流下して、センター役物の下外側に配置された始動入賞口に向かって案内される。
【特許文献１】特開２００５−１３７０３号公報
【発明の開示】
【発明が解決しようとする課題】
【０００４】
しかしながら、近年、表示画面は大型サイズのものが配置されるようになってきているため、センター役物の略斜め上方部の外側に位置する遊技領域、ひいては、遊技領域内でパチンコ球が転動流下可能な転動領域が狭くなる傾向にあり、入賞率を考慮した遊技釘のレイアウトに対して非常に厳しい制約が生じていた。
【０００５】
具体的に言えば、表示画面のサイズが、例えば１５インチなど、大型になればなるほど、遊技釘のレイアウトの自由度は減っていくため、センター役物の略斜め上方部から横外側を転動流下するパチンコ球を減速させることを目的として遊技釘の配置を設計する際や、センター役物の下外側に配置された始動入賞口に向かって案内させることを目的として遊技釘の道筋を設計する際に、入賞率の調整を行うことが非常に困難であった。
【０００６】
一方、入賞率の調整においては、遊技釘のレイアウトだけでなく、センター役物の略斜め上方部に成形された傾斜面の傾斜角度も大きく影響する。なぜなら、その傾斜角度を変化させれば、その傾斜面に衝突した発射球の勢いに変化が生じて、パチンコ球が遊技釘に衝突しながら始動入賞口に向かう確率も変化するからである。
【０００７】
従って、遊技釘の配置や道筋の設計にゆとりを持たせるには、遊技釘の配置や道筋の設計がなされる転動領域のスペースを十分に確保することが必要である。もっとも、この観点から、センター役物の一部を表示画面に重ねてしまうと、表示画面をせっかく大型化したにもかかわらず、表示画面の一部が隠れてしまうために、表示画面の大型化に伴う視覚効果などが十分に発揮させることができない。
【０００８】
以上の点は、表示画面のサイズが、例えば１３インチなど、従来と同じであったとしても、例えば、センター役物の外側のいずれか一方（左右いずれか一方）の転動領域に大型役物又は装飾可動物や多数の役物を配置させる場合には、表示画面とともにセンター役物を当該大型役物などの配置側とは反対方向に移動させて偏った配置をしなければならなず、転動領域が狭くなることから、同様にして懸念される。
【０００９】
そこで、本発明は、上述した点を鑑みてなされたものであり、センター装飾部材に外周が取り囲まれた表示画面が大型化又は偏在されても、パチンコ球が転動流下可能な転動領域のスペースを十分に確保するとともに表示画面の視認に支障がない構造を有したパチンコ機を提供することを課題とする。
【課題を解決するための手段】
【００１０】
この課題を解決するために成された請求項１に係る発明のパチンコ機においては、遊技盤の盤面上の遊技領域内にセンター装飾部材が配設されることによって、センター装飾部材の基底面が遊技盤の盤面上の遊技領域内に存在する転動領域内に配置されている。さらに、センター装飾部材の略斜め上方隅付近では、センター装飾部材によって外周が囲まれた表示画面の一部と重ね合わせるようにして、遊技盤の盤面上の転動領域からセンター装飾部材の傾斜面にかけてセンター装飾部材の基底面の延出部分を渡し設けている。従って、表示画面の一部と重なり合ったセンター装飾部材の基底面の延出部分は、遊技盤の盤面上にはないけれども、遊技盤の盤面上の転動領域から延長された新たな転動領域として機能することができる。このとき、表示画面から放たれた光は、表示画面の一部と重なり合ったセンター装飾部材の基底面の延出部分を通過しても、センター装飾部材の基底面の延出部分が透明の光透過性材質をもって形成されていることから、遊技者側にそのままの状態で達する。以上より、センター装飾部材に外周が取り囲まれた表示画面が遊技盤の盤面上で大型化又は偏在されても、パチンコ球が転動流下可能な転動領域のスペースを十分に確保することができるとともに表示画面を遊技者側が視認する際に支障が生じることはない。
【発明を実施するための最良の形態】
【００１１】
以下、本発明の実施の形態を図面を参照にして説明する。図１は、本実施の形態のパチンコ機の遊技盤２０２を示した正面図である。遊技盤２０２の盤面２０２Ａには、略円形状の外レール２０６Ａと内レール２０６Ｂとが設けられており、外レール２０６Ａ及び内レール２０６Ｂの内縁で囲まれた領域をもって、遊技領域２０７を形成している。さらに、図８に示すように遊技盤２０２の盤面２０２Ａの遊技領域２０７には、後述するセンター装飾部材２０５の外周形状に類似する形状であって、センター装飾部材２０５の外周寸法より小さい寸法の孔（中央開口部２０４、配置開口部３３１）が設けられている。そして、図示されないが、表示制御基板と一緒に透明なケースに収納されユニット化された液晶表示装置が、遊技盤２０２の裏面の所定位置に、螺子などで固定される。
一方、遊技盤２０２の表面（正面）には、図１に示すように、センター装飾部材２０５の一部が、遊技盤２０２に形成された孔（中央開口部２０１、配置開口部３３１）の一部を塞ぐように、且つ、後述するセンター装飾部材２０５の第１開口部３０２が、液晶表示装置の表示画面２０３の周囲を取り囲むように、センター装飾部材２０５が遊技盤２０２に螺子などによって固定される。
【００１２】
そこで、ここからは、センター装飾部材２０５を図面に基づいて説明する。図４にセンター装飾部材２０５の正面図を示し、図５にセンター装飾部材２０５の背面図を示し、図６にセンター装飾部材２０５の分解斜視図を示し、図７にセンター装飾部材２０５の斜視図を示す。図４〜図７に示すように、センター装飾部材２０５では、その本体枠３０１に対しては固定板３１１が取り付けられ、固定板３１１に対しては発光素子基盤３２１が取り付けられている。
【００１３】
この点、本体枠３０１には、第１開口部３０２が設けられているとともに、固定板３１１を取り付けるための第２開口部３０３が設けられている。そして、第１開口部３０２や第２開口部３０３の周辺には、センター装飾部材２０５が遊技盤２０２の盤面２０２Ａに固定された際に遊技盤２０２の盤面２０２Ａと接面する各基底片面４０１Ａ，４０１Ｂ，４０１Ｃ，４０１Ｄが形成され、さらに、センター装飾部材２０５が遊技盤２０２の盤面２０２Ａに固定された際に遊技盤２０２の盤面２０２Ａに対して垂直した状態となる屈曲した突出片面４０２が形成されている。
特に、突出片面４０２の一部によって、第１開口部３０２と第２開口部３０３の間にワープルート３０４が形成され、また、ワープルート３０４の上部を構成するとともに上中央付近から左横に向かって下りに傾斜する傾斜片面４０３が形成されている。
【００１４】
尚、本体枠３０１は、各基底片面４０１Ａ，４０１Ｂ，４０１Ｃ，４０１Ｄや、突出片面４０２、傾斜片面４０３、ワープルート３０４を含めて、無色透明の光透過性材質であるポリカーボーネート樹脂で一体的に成型加工される。
また、センター装飾部材２０５の基底片面４０１Ａ，４０１Ｂ，４０１Ｃ，４０１Ｄから突出片面４０２が突出した方面が「遊技者側」となる。従って、「反遊技者側」とは、センター装飾部材２０５の基底片面４０１Ａ，４０１Ｂ，４０１Ｃ，４０１Ｄから遊技盤２０２の盤面２０２Ａに向かう方面をいう。
【００１５】
また、固定板３１１には、その表面において、ジグザグ状の複数の突出片面３１２が形成されている。そして、本体枠３０１の第２開口部３０３に対し固定板３１１が螺子で固定されると、固定板３１１の表面に列設されたジグザグ状の複数の突出片面３１２によって、本体枠３０１の第２開口部３０３に案内溝３１３が形成される。この点、案内溝３１３の各溝は、パチンコ球が転動可能な間隔を有していることから、遊技釘を使用することなくパチンコ球を誘導することが可能となる。
尚、複数の突出片面３１２が列設された固定板３１１は、光透過性材質であるポリカーボーネート樹脂で一体的に成型加工される。但し、このポリカーボーネート樹脂は、光が透過するものであれば、有色又は無色、透明又は非透明のいずれであってもよい。
【００１６】
また、発光素子基盤３２１には、複数のＬＥＤ発光素子３２２が搭載されている。そして、発光素子基盤３２１は、各ＬＥＤ発光素子３２２の搭載面が固定板３１１に対向した状態で、固定板３１１の背面に螺子で固定される。
【００１７】
次に、図８に基づいて説明する。遊技盤２０２の盤面２０２Ａには、上記中央開口部２０４と連なるようにして配置開口部３３１が設けられている。そして、遊技盤２０２に対してセンター装飾部材２０５を組み付けると、センター装飾部材２０５を構成する本体枠３０１の第１開口部３０２は遊技盤２０２の中央開口部２０４に重なり合い、また、センター装飾部材２０５を構成する本体枠３０１の第２開口部３０３は遊技盤２０２の配置開口部３３１に重なり合う。従って、遊技盤２０２に対してセンター装飾部材２０５が組み付けられた状態では、遊技盤２０２の配置開口部３３１は、センター装飾部材２０５の第２開口部３０３に固定された固定板３１１で塞がれることになる。そして、このとき、固定板３１１の背面に固定された発光素子基盤３２１の各ＬＥＤ発光素子３２２は遊技盤２０２の配置開口部３３１に内置され、固定板３１１の表面に形成された突出片面３１２などで構成する案内溝３１３は遊技盤２０２上に存置される。
【００１８】
また、図１に示すように、遊技盤２０２の盤面２０２Ａにセンター装飾部材２０５を固定した状態では、センター装飾部材２０５の傾斜片面４０３は、上述したように、センター装飾部材２０５の上中央付近から左横に向かって下り勾配を有した斜面となる。
【００１９】
また、遊技盤２０２の盤面２０２Ａに形成された遊技領域２０７においては、センター装飾部材２０５の突出片面４０２がその上中央外側から右横外側にかけて外側レール２０６Ａ及び内側レール２０６Ｂの各内縁と非常に接近しており、その接近した領域にパチンコ球が侵入することを阻止するために、返し部材２０８がセンター装飾部材２０５の上中央外側付近に設けられている。
【００２０】
さらに、遊技盤２０２の盤面２０２Ａに形成された遊技領域２０７内においては、上述したセンター装飾部材２０５や返し部材２０８に加えて、風車２１１、第１始動口２１４、チューリップ部材２１５Ａを有した第２始動口２１５、ゲート２１６、大入賞口２１７、アウト口２１８、電飾部材２３１Ａ，２３１Ｂなどが配設されている。従って、遊技盤２０２の盤面２０２Ａに形成された遊技領域２０７内のうち、表示画面２０３を含めたセンター装飾部材２０５（但し、基底片面４０１Ａ，４０１Ｄ、案内溝３１３、ワープルート３０４を除く）や、返し部材２０８、風車２１１、第１始動口２１４、第２始動口２１５、ゲート２１６、大入賞口２１７、アウト口２１８、電飾部材２３１Ａ，２３１Ｂなどを排除した領域でパチンコ球が転動流下することが可能な転動領域２３２が形成されている。
【００２１】
そして、センター装飾部材２０５の上中央外側から上左外側にかけて形成された転動領域２３２には、複数の遊技釘２０９が配設されているが、さらに、センター装飾部材２０５の基底片面４０１Ａやワープルート３０４の上部が配設されている。
また、センター装飾部材２０５の左横外側に形成された転動領域２３２には、複数の遊技釘２１０や、風車２１１が配設されているが、さらに、センター装飾部材２０５の案内溝３１３やワープルート３０４の下部が配設されている。
さらに、センター装飾部材２０５の下外側に形成された転動領域２３２には、誘導釘などを形成する複数の遊技釘２１３や、第１始動口２１４、チューリップ部材２１５Ａを有した第２始動口２１５、ゲート２１６、大入賞口２１７、アウト口２１８などが配設されているが、さらに、センター装飾部材２０５の基底片面４０１Ｄが配設されている。
【００２２】
図３は、本実施の形態のパチンコ機１を示した正面図である。本実施の形態のパチンコ機１では、図１で示した遊技盤２０２が取り付けられており、さらに、上皿２１９や、下皿２２０、ハンドル２２１などが設けられている。従って、本実施の形態のパチンコ機１においては、上皿２１９に集められたパチンコ球をハンドル２２１の操作により遊技者が発射させると、その発射球が、外側レール２０６Ａに沿って上昇転動して転動領域２３２に放出され、センター装飾部材２０５や、その基底片面４０１Ａ，４０１Ｄ、案内溝３１３、ワープルート３０４、あるいは、返し部材２０８、外側レール２０６Ａ、内側レール２０６Ｂ、遊技釘２０９，２１０，２１３、風車２１１などに衝突・案内されながら転動流下し、第１始動口２１４や、第２始動口２１５、大入賞口２１７に入賞したり、ゲート２１６やアウト口２１８を通過する。なお、本実施の形態のパチンコ機１は、第１始動口２１４や第２始動口２１５にパチンコ球が入賞すると、主制御基板（図示せず）が大当りか否かの抽選を行い、その抽選結果に基づく表示指定を表示制御基板（図示せず）に伝達し、表示制御基板（図示せず）が、表示画面２０３に大当りか否かの抽選結果を示すように表示制御を行う周知のパチンコ機である。
【００２３】
また、本実施の形態のパチンコ機１では、遊技盤２０２の盤面２０２Ａにセンター装飾部材２０５を固定した状態では、図２の斜線部２０５Ａに示すように、センター装飾部材２０５の基底片面４０１Ａと突出片面４０３とワープルート３０４の各一部が表示画面２０３の一部を覆っている。しかしながら、センター装飾部材２０５は、基底片面４０１Ａや突出片面４０３やワープルート３０４を含めて、無色透明の光透過性材質であるポリカーボーネート樹脂で一体的に成型加工されていることから、表示画面２０３のうち斜線部２０５Ａに該当する部分に映るカラー画像は、センター装飾部材２０５を介しても変色することなく見ることができる。
【００２４】
以上詳細に説明したように、本実施の形態のパチンコ機１においては、遊技盤２０２と、前記遊技盤２０２の盤面２０２Ａ上に設けられた外側レール２０６Ａ及び内側レール２０６Ｂ（本発明の「ガイドレール」に相当するもの）と、前記外側レール２０６Ａ及び内側レール２０６Ｂによって前記遊技盤２０２の盤面２０２Ａ上に区画形成された遊技領域２０７と、前記遊技盤２０２の盤面２０２Ａ上に設けられるとともに前記遊技領域２０７内に配設された第１始動口２１４又は第２始動口２１５（本発明の「入賞口」のいずれかに相当するもの）と、前記遊技盤２０２の盤面２０２Ａ上に設けられるとともに前記遊技領域２０７内に前記第１始動口２１４又は第２始動口２１５より上方に配設された表示画面２０３と、前記遊技盤２０２の盤面２０２Ａ上に遊技者側に向けて突設されるとともに前記遊技領域２０７内で前記表示画面２０３の外周を取り囲んで配設されたセンター装飾部材２０５と、前記遊技盤２０２の盤面２０２Ａ上に設けられるとともに前記遊技領域２０７内で前記センター装飾部材２０５と前記外側レール２０６Ａ及び内側レール２０６Ｂとの間に配設された遊技釘２０９，２１０，２１３（本発明の「障害物」に相当するもの）と、前記第１始動口２１４又は第２始動口２１５と前記表示画面２０３と前記センター装飾部材２０５と前記遊技釘２０９，２１０，２１３とが配設されることによって前記遊技領域２０７内に形成されるとともに前記遊技盤２０２の盤面２０２Ａ上でのパチンコ球の流下方向を変更する転動領域２３２と、を有するとともに、前記センター装飾部材２０５には前記遊技盤２０２の盤面２０２Ａに対して略平行な基底片面４０１Ａ，４０１Ｂ，４０１Ｃ，４０１Ｄ（本発明の「基底面」に相当するもの）と前記基底片面４０１Ａ，４０１Ｂ，４０１Ｃ，４０１Ｄから遊技者側に向けて突設された突出片面４０２（本発明の「突出面」に相当するもの）と前記突出片面４０２の一部として当該センター装飾部材２０５の略斜め左上方隅付近に設けられた傾斜片面４０３（本発明の「傾斜面」に相当するもの）とが形成されており、前記外側レール２０６Ａに案内されて前記転動領域２３２内に侵入したパチンコ球が前記センター装飾部材２０５の傾斜片面４０３に沿って流下すれば前記センター装飾部材２０５の傾斜片面４０３と比べて流下方向に位置する前記遊技釘２０９，２１０，２１３を介して前記第１始動口２１４又は第２始動口２１５に向かって案内される。
【００２５】
さらに、本実施の形態のパチンコ機１においては、前記センター装飾部材２０５の基底片面４０１Ａ，４０１Ｂ，４０１Ｃ，４０１Ｄについては当該センター装飾部材２０５の略斜め左上方隅付近で当該センター装飾部材２０５の傾斜片面４０３から前記遊技盤２０２の盤面２０２Ａ上に延設された基底片面４０１Ａ（本発明の「延出部分」に相当するもの）が無色透明の光透過性材質をもって形成されるとともに、前記センター装飾部材２０５の基底片面４０１Ａから反遊技者側に向かって前記表示画面２０３の一部が存在している。
【００２６】
また、本実施の形態のパチンコ機１においては、前記センター装飾部材２０５のワープルート３０４についても、無色透明の光透過性材質をもって形成されるとともに、当該センター装飾部材２０５の略斜め左上方隅から左横付近で前記センター装飾部材２０５のワープルート３０４から反遊技者側に向かって前記表示画面２０３の一部が存在している。
【００２７】
すなわち、本実施の形態のパチンコ機１では、図１や図２に示すように、遊技盤２０２の盤面２０２Ａ上の遊技領域２０７内にセンター装飾部材２０５が配設されることによって、センター装飾部材２０５の基底片面４０１Ａやワープルート３０５が遊技盤２０２の盤面２０２Ａ上の遊技領域２０７内に存在する転動領域２３２内に配置されている。
さらに、センター装飾部材２０５の略斜め左上方隅付近では、センター装飾部材２０５によって外周が囲まれた表示画面２０３の一部と重ね合わせるようにして、遊技盤２０２の盤面２０２Ａ上の転動領域２３２からセンター装飾部材２０５の傾斜片面４０３にかけてセンター装飾部材２０５の基底片面４０１Ａを渡し設けている。また、センター装飾部材２０５の略斜め左上方隅及び左横付近では、センター装飾部材２０５によって外周が囲まれた表示画面２０３の一部と重ね合わせるようにして、センター装飾部材２０５の突出片面４０２や傾斜片面４０３からワープルート３０５を延設させている。
【００２８】
従って、表示画面２０３の一部と重なり合ったセンター装飾部材２０５の基底片面４０１Ａやワープルート３０５は、遊技盤２０２の盤面２０２Ａ上にはないけれども、遊技盤２０２の盤面２０２Ａ上の転動領域２３２から延長された新たな転動領域として機能することができる。このとき、表示画面２０３から放たれた光は、表示画面２０３の一部と重なり合ったセンター装飾部材２０５の基底片面４０１Ａや傾斜片面４０３やワープルート３０５など（図２における符号２０５Ａの斜線部分で示す部分）を通過しても、センター装飾部材２０５の基底片面４０１Ａや傾斜片面４０３やワープルート３０５などが無色透明の光透過性材質であるポリカーボーネート樹脂で一体的に成型加工されていることから、遊技者側にそのままの状態で達する。
以上より、センター装飾部材２０５に外周が取り囲まれた表示画面２０３が遊技盤２０２の盤面２０２Ａ上で大型化又は偏在されても、センター装飾部材２０５の基底片面４０１Ａや傾斜片面４０３やワープルート３０５などが透明の光透過性材質であるため、これら透明材質を介して遊技者が表示画面２０３を視認可能になるので、視覚効果などを十分に発揮させることができる。さらに、表示画面２０３が大型化するに連れて、追従するように、転動領域２３２を狭くしなくても良いので、第１始動口２１４又は第２始動口２１３に対するパチンコ球の入賞率の調整を考慮したレイアウト設計への制約が比較的緩やかにすることができる。
【００２９】
尚、本発明は上記実施の形態に限定されるものでなく、その趣旨を逸脱しない範囲で様々な変更が可能である。
例えば、ゲート２１６、大入賞口２１７のいずれかを「入賞口」として扱ってもよく、また、風車２１１又はセンター装飾部材２０５の案内溝３１３を「障害物」として扱ってもよい。
また、光透過性材質は有色透明であってもよい。
【図面の簡単な説明】
【００３０】
【図１】本発明の一実施形態を示したパチンコ機の遊技盤を示した正面図。
【図２】同パチンコ機の遊技盤の一部を拡大した正面図。
【図３】同パチンコ機の正面図。
【図４】同パチンコ機のセンター装飾部材の正面図。
【図５】同パチンコ機のセンター装飾部材の背面図。
【図６】同パチンコ機のセンター装飾部材の分解斜視図。
【図７】同パチンコ機のセンター装飾部材の斜視図。
【図８】同パチンコ機の遊技盤を示した正面図。
【符号の説明】
【００３１】
１…パチンコ機、２０２…遊技盤、２０２Ａ…遊技盤の盤面、２０３…表示画面、２０５…センター装飾部材、２０６Ａ…外側レール、２０６Ｂ…内側レール、２０７…遊技領域、２０９，２１０，２１３…遊技釘、２１４…第１始動口、２１５…第２始動口、２３２…転動領域、４０１Ａ，４０１Ｂ，４０１Ｃ，４０１Ｄ…センター装飾部材の基底片面、４０２…センター装飾部材の突出片面、４０３…センター装飾部材の傾斜片面
【図１】
2007267902.tif 000003
【図２】
2007267902.tif 000004
【図３】
2007267902.tif 000005
【図４】
2007267902.tif 000006
【図５】
2007267902.tif 000007
【図６】
2007267902.tif 000008
【図７】
2007267902.tif 000009
【図８】
2007267902.tif 000010